(57)【要約】      （修正有）【課題】楽器又は楽器用スタンドに取り付けられるスパイク付脚、スパイク付脚を備えた楽器及び楽器用スタンドを提供する。【解決手段】スパイク付脚は、脚部材としての第１脚体及び第２脚体１４と、第２脚体１４の先端に固定されるストッパ１５とを備える。ストッパ１５は、ストッパ本体５１、スパイクホルダ５２、及びスパイク５３を備える。ストッパ本体５１において、第１縦穴５５と第２縦穴５６との間には、ストッパ本体５１の一部が介在するため、ストッパ１５に第２脚体１４及びスパイク５３が組み付けられた状態で、スパイク５３の基端は、第２脚体１４の先端から離間して配置される。【選択図】図７
2014025979.tif 000002
【特許請求の範囲】
【請求項１】
楽器又は楽器用スタンドに取り付けられるスパイク付脚であって、
前記楽器又は前記楽器用スタンドに連結される脚部材と、
前記脚部材の先端に固定され、前記楽器又は前記楽器用スタンドの設置面に当接されるストッパと、
前記ストッパに支持され、前記設置面に突き当てられるスパイクとを備え、
前記スパイクの基端は、前記脚部材の先端から離間していることを特徴とするスパイク付脚。
【請求項２】
請求項１記載のスパイク付脚において、
前記スパイクの基端と前記脚部材の先端との間には、振動吸収部材が介在されていることを特徴とするスパイク付脚。
【請求項３】
請求項１又は２記載のスパイク付脚において、
前記ストッパは、振動吸収材料により形成されていることを特徴とするスパイク付脚。
【請求項４】
請求項２又は３に記載のスパイク付脚において、
前記振動吸収部材は、前記ストッパに一体形成されていることを特徴とするスパイク付脚。
【請求項５】
請求項１〜４のうちいずれか一項に記載のスパイク付脚において、
前記ストッパには、前記脚部材の先端が固定される第１縦穴と、前記スパイクを収容する第２縦穴とが設けられ、前記第２縦穴内には、前記スパイクとの間に介装されて剛性を有するホルダが設けられ、前記脚部材の先端は第１固定部材により前記第１縦穴に固定され、前記ホルダは第２固定部材により前記第２縦穴に固定されることを特徴とするスパイク付脚。
【請求項６】
請求項１〜５のうちいずれか一項に記載のスパイク付脚において、
前記スパイクは、前記ストッパに対し前記スパイクの軸線に沿って移動可能に支持され、前記ストッパには、前記ストッパに対する前記スパイクの位置を調節するための調節ネジが設けられ、前記調節ネジの頭部は、前記楽器又は前記楽器用スタンドの外側に向けて配置されていることを特徴とするスパイク付脚。
【請求項７】
スパイク付脚を備えた楽器であって、
前記スパイク付脚は、
前記楽器に連結される脚部材と、
前記脚部材の先端に固定され、前記楽器の設置面に当接されるストッパと、
前記ストッパに支持され、前記設置面に突き当てられるスパイクとを備え、
前記スパイクの基端は、前記脚部材の先端から離間していることを特徴とする楽器。
【請求項８】
スパイク付脚を備えた楽器用スタンドであって、
支柱と、
前記支柱に連結された脚部材と、
前記脚部材の先端に固定され、前記楽器用スタンドの設置面に当接されるストッパと、
前記ストッパに支持され、前記設置面に突き当てられるスパイクとを備え、
前記スパイクの基端は、前記脚部材の先端から離間していることを特徴とする楽器用スタンド。
【発明の詳細な説明】
【技術分野】
【０００１】
本発明は、楽器又は楽器用スタンドに取り付けられるスパイク付脚、スパイク付脚を備えた楽器及び楽器用スタンドに関する。
【背景技術】
【０００２】
演奏者は、ハイハットやバスドラムを演奏する際、ハイハットスタンドやバスドラムに取り付けられた操作ペダルを踏み込む。このとき、操作ペダルの踏み込み力によって、ハイハットスタンドやバスドラムの位置が最初の位置より演奏者から遠ざかることがある。このため、ハイハットスタンドやバスドラムの位置を固定できる構成として、スパイク付脚を備えたハイハットスタンドや、スパイク付脚を備えたバスドラムが提案されている。
【０００３】
特許文献１は、バスドラムの支持脚構造を開示している。特許文献１に開示の支持脚は、シェルに固定されるベースと、ベースに対し回動可能に取り付けられる第１脚体と、第１脚体に対し伸縮自在に取り付けられる第２脚体と、第２脚体の先端に固定されるゴム製のストッパとを備えている。バスドラムは、スパイク状に形成された第２脚体の先端を床面に突き当てて設置される。これにより、バスドラムは、最初の位置から移動しないように固定される。
【０００４】
特許文献２は、ハイハットスタンドの支持脚構造を開示している。特許文献２に開示の支持脚は、支柱に脚板を介して連結される支持脚本体部と、支持脚本体部内に収容されるスパイク棒と、支持脚本体部の先端に装着されるゴム製のストッパとを備えている。支持脚本体部によって、スパイク棒は、その尖端を支持脚本体部の開口端から出没可能に支持されている。ハイハットスタンドも、バスドラムと同様に、スパイク棒の尖端を床面に突き当てて設置される。
【先行技術文献】
【特許文献】
【０００５】
【特許文献１】米国特許第５４０８９１３号明細書
【特許文献２】米国特許第６０３１１７０号明細書
【発明の概要】
【０００６】
しかしながら、特許文献１に開示の支持脚構造によれば、脚体の先端をバスドラムの床面に突き当ててバスドラムを設置するため、バスドラムの振動は、ゴム脚に吸収されることなく、脚体の先端を介して床面へと伝達されてしまう。このため、バスドラムの振動を最大限に引き出すことができず、バスドラム本来の響きが十分に得られなかった。また、特許文献２に開示の支持脚構造においても、スパイク棒が支持脚本体部に組み付けられているため、ハイハットの振動は、ハイハットスタンドの支柱から支持脚本体部及びスパイク棒を介して床面へと伝達されてしまう。このため、特許文献１の支持脚構造と同様の問題があった。
【発明が解決しようとする課題】
【０００７】
本発明の目的は、楽器又は楽器用スタンドに取り付けられるスパイク付脚、スパイク付脚を備えた楽器及び楽器用スタンドを提供することにある。
【課題を解決するための手段】
【０００８】
上記の目的を達成するために、請求項１に記載の発明は、楽器又は楽器用スタンドに取り付けられるスパイク付脚であって、楽器又は楽器用スタンドに連結される脚部材と、脚部材の先端に固定され、楽器又は楽器用スタンドの設置面に当接されるストッパと、ストッパに支持され、設置面に突き当てられるスパイクとを備え、スパイクの基端は、脚部材の先端から離間していることを要旨とする。
【０００９】
この構成によれば、スパイクの基端が脚部材の先端から離間しているため、楽器からの振動を、脚部材の先端とスパイクの基端との間で遮断することができる。このため、楽器からの振動がスパイクを介して楽器の設置面に伝達されるのを抑制することができる。これにより、楽器の振動を最大限に引き出すことができ、楽器本来の響きを得ることができる。
【００１０】
請求項２に記載の発明は、請求項１記載の発明において、スパイクの基端と脚部材の先端との間には、振動吸収部材が介在されていることを要旨とする。
この構成によれば、スパイクの基端と脚部材の先端との間に介在された振動吸収部材により、楽器からの振動を吸収することができる。このため、楽器からの振動を、脚部材の先端とスパイクの基端との間で確実に遮断することができる。よって、楽器からの振動がスパイクを介して設置面に伝達されるのを確実に抑制することができる。
【００１１】
請求項３に記載の発明は、請求項１又は２記載の発明において、ストッパは、振動吸収材料により形成されていることを要旨とする。
この構成によれば、ストッパが振動吸収材料からなるため、ストッパの全体で、楽器からの振動を吸収することができる。よって、楽器からの振動がスパイクを介して設置面に伝達されるのをより確実に抑制することができる。
【００１２】
請求項４に記載の発明は、請求項２又は３に記載の発明において、振動吸収部材は、前記ストッパに一体形成されていることを要旨とする。
この構成によれば、振動吸収部材をストッパに一体形成することにより、スパイク付脚の部品点数を減らすことができる。これにより、スパイク付脚の組み付け工数や部品コストを低減することができる。
【００１３】
請求項５に記載の発明は、請求項１〜４のうちいずれか一項に記載の発明において、ストッパには、脚部材の先端が固定される第１縦穴と、スパイクを収容する第２縦穴とが設けられ、第２縦穴内には、スパイクとの間に介装されて剛性を有するホルダが設けられ、脚部材の先端は第１固定部材により第１縦穴に固定され、ホルダは第２固定部材により第２縦穴に固定されることを要旨とする。
【００１４】
この構成によれば、ストッパの第２縦穴内とスパイクとの間には、剛性を有するホルダが介装されている。また、ストッパに対する脚部材の固定と、ストッパに対するホルダの固定とが、第１及び第２固定部材を用いてそれぞれ別々に行われる。これにより、ストッパ全体の強度が確保されるため、楽器又は楽器用スタンドを設置したときの姿勢が安定化する。また、演奏者による踏み込み動作によってストッパから脚部材が外れたり、スパイクが外れたりすることを抑制できる。
【００１５】
請求項６に記載の発明は、請求項１〜５のうちいずれか一項に記載の発明において、スパイクは、ストッパに対しスパイクの軸線に沿って移動可能に支持され、ストッパには、ストッパに対するスパイクの位置を調節するための調節ネジが設けられ、調節ネジの頭部は、楽器又は楽器用スタンドの外側に向けて配置されていることを要旨とする。
【００１６】
この構成によれば、調節ネジの頭部が楽器又は楽器用スタンドの外側に向けて配置されているため、スパイク付脚を収納位置に配置する際、楽器又は楽器用スタンドの表面に調節ネジの頭部が接触して傷が付くことを防止できる。また、調節ネジを回す等の操作を、楽器又は楽器用スタンドの外側から行うことができる。よって、スパイクの位置を容易に調節することができる。
【００１７】
請求項７に記載の発明は、スパイク付脚を備えた楽器であって、スパイク付脚は、楽器に連結される脚部材と、脚部材の先端に固定され、楽器又は楽器用スタンドの設置面に当接されるストッパと、ストッパに支持され、設置面に突き当てられるスパイクとを備え、スパイクの基端は、脚部材の先端から離間していることを要旨とする。
【００１８】
この構成によれば、請求項１に記載の発明と同等の作用効果を奏する。
請求項８に記載の発明は、スパイク付脚を備えた楽器用スタンドであって、支柱と、支柱に連結された脚部材と、脚部材の先端に固定され、楽器又は楽器用スタンドの設置面に当接されるストッパと、ストッパに支持され、設置面に突き当てられるスパイクとを備え、スパイクの基端は、脚部材の先端から離間していることを要旨とする。
【００１９】
この構成によれば、請求項１に記載の発明と同等の作用効果を奏する。
【発明の効果】
【００２０】
本発明によれば、楽器からの振動がスパイクを介して楽器の設置面に伝達されるのを抑制することができる。
【図面の簡単な説明】
【００２１】
【図１】本発明のスパイク付脚を備えたバスドラムの斜視図。
【図２】スパイク付脚における第１脚体付近の分解斜視図。
【図３】スパイク付脚における第２脚体付近の分解斜視図。
【図４】図１の４−４線に沿った部分断面図。
【図５】図１の５−５線に沿った部分断面図。
【図６】スパイク付脚におけるストッパ付近の分解斜視図。
【図７】（ａ）はスパイクがストッパ本体内に没入した状態を示す部分断面図、（ｂ）はスパイクがストッパ本体から突出した状態を示す部分断面図。
【図８】本発明のスパイク付脚を備えたハイハットスタンドの斜視図。
【発明を実施するための形態】
【００２２】
以下、本発明に係るスパイク付脚をバスドラムに適用した一実施形態について、図１〜図７（ｂ）を参照して説明する。
図１に示すように、バスドラムＢＤは、円筒状のシェル１、打面ヘッド２、フロントヘッド３、打面側フープ４、及びフロント側フープ５を備えている。打面側フープ４は、シェル１の第１開口端に対し、打面ヘッド２と共に装着される。フロント側フープ５は、シェル１の第２開口端に対し、フロント側フープ５と共に装着される。
【００２３】
バスドラムＢＤの打面ヘッド２付近には、図示しないペダル装置が接続されている。また、バスドラムＢＤのフロントヘッド３付近には、一対のスパイク付脚１０が取り付けられている。スパイク付脚１０は、先端を打面ヘッド２に向けて配置される収納位置と、図１に示すように先端を斜め前方に向けて配置される使用位置とを取り得る。一対のスパイク付脚１０は、シェル１の外側に少し開いた状態で使用される。バスドラムＢＤは、一対のスパイク付脚１０とペダル装置との３点で支持されることにより、設置面としての床面ＦＬ上に設置される。
【００２４】
次に、スパイク付脚１０の構成について図１〜図７（ｂ）を参照して説明する。
図１に示すように、スパイク付脚１０は、シェル１に固定されるベース１２と、脚部材としての第１及び第２脚体１３，１４と、第２脚体１４の先端に固定されるストッパ１５とを備えている。第１脚体１３は、ベース１２に取り付けられている。また、第２脚体１４は、第１脚体１３に取り付けられている。ストッパ１５は、床面ＦＬに当接されることで、滑り止めとして機能する。
【００２５】
図２及び図４に示すように、ベース１２は、断面台形状の箱体からなる。ベース１２の中央には、第１脚体１３が取着される略円形状のリテーナ２１が形成されている。リテーナ２１は、ベース１２の表面から所定の高さだけ突出されている。リテーナ２１の中央には、挿通孔２２が形成されている。また、リテーナ２１の表裏各面において挿通孔２２の周囲には、筒状壁２３，２４がそれぞれ形成されている。ベース１２の表側の筒状壁２３には、スパイク付脚１０が収納位置又は使用位置を越えて回動することを規制する一対の規制部２５が設けられている。
【００２６】
第１脚体１３は、ベース１２に取り付けられる取付部３１と、取付部３１から直線状に延びる略筒状の脚部３２とを備えている。取付部３１の中央には、ベース１２の挿通孔２２と対応する挿通孔３３が形成されている。第１脚体１３は、取付部３１をリテーナ２１に取着することで、ベース１２に対し回動可能に取り付けられている。また、リテーナ２１及び取付部３１の各挿通孔２２，３３には、ベース１２の裏面からボルト３８が挿通されている。
【００２７】
リテーナ２１と取付部３１との間には、スプリング３９が圧縮された状態で配置されている。スプリング３９の内側には、ボルト３８の軸部が挿通されている。ボルト３８の頭部は、ベース１２の裏側の筒状壁２４内に収容されている。ボルト３８の先端は、取付部３１から外方に突出されている。ボルト３８の先端には、Ｔ型ナット４０が螺着されている。
【００２８】
ボルト３８に螺着されたＴ型ナット４０をスプリング３９の付勢力に抗して締め付けると、第１脚体１３はベース１２に固定される。一方、Ｔ型ナット４０を緩めると、第１脚体１３は、スプリング３９により外側に付勢されて、ベース１２に対し回動可能となる。こうしてＴ型ナット４０を操作し、第１脚体１３を回動させることにより、スパイク付脚１０の位置が収納位置及び使用位置のいずれか一方に切り換えられる。
【００２９】
脚部３２の表面には、脚部３２とほぼ同じ長さを有する凹部３４が形成されている。凹部３４の底壁には、凹部３４とほぼ同じ長さを有する溝３５が形成されている。凹部３４の底壁には、溝３５の両側縁に沿って一定間隔毎に目盛りが刻印されている。脚部３２は、凹部３４と反対側に、第２脚体１４を収容するための空間３６を有している。脚部３２の開口端には、略筒状のガイドブッシュ３７が装着されている。
【００３０】
図２及び図３に示すように、ガイドブッシュ３７は、筒部３７ａと、筒部３７ａの開口端に沿って設けられたフランジ部３７ｂとを備えている。ガイドブッシュ３７の開口端には、フランジ部３７ｂと共に略Ｃ字状を有する開口３７ｃが設けられている。ガイドブッシュ３７が脚部３２に装着された状態で、フランジ部３７ｂ及び開口３７ｃは、脚部３２の開口端よりも外に配置されている。
【００３１】
図５及び図６に示すように、第２脚体１４は、断面略Ｃ字状に形成されている。このため、第２脚体１４の裏面には、断面長方形状の溝４１が形成されている。第２脚体１４の上端付近には、挿通孔４２が形成されている。また、第２脚体１４の下端付近には、ネジ孔４３が形成されている。
【００３２】
図３〜図５に示すように、第２脚体１４は、ガイドブッシュ３７に挿通されると共に、第１脚体１３内の空間３６において移動可能に収容されている。第２脚体１４の挿通孔４２には、ブッシュナット４４の円筒部４４ａが挿入されている。第２脚体１４の溝４１には、ブッシュナット４４の六角部分４４ｂが嵌め込まれている。このため、ブッシュナット４４は、第２脚体１４に対して回転しないように支持されている。
【００３３】
また、第２脚体１４の挿通孔４２には、ボルト４５が挿入されている。ボルト４５は、第１脚体１３の凹部３４から溝３５を通って、ブッシュナット４４に螺着されている。ボルト４５の頭部と凹部３４の底壁との間には、押え板４６が介装されている。ブッシュナット４４に螺着されたボルト４５を締め付けると、第２脚体１４と押え板４６とにより第１脚体１３が挟持されるため、第２脚体１４が第１脚体１３に固定される。一方、ブッシュナット４４に螺着されたボルト４５を緩めると、第２脚体１４と押え板４６とによる第１脚体１３の挟持が解除されるため、第２脚体１４が第１脚体１３に対し移動可能となる。こうしてボルト４５を操作し、第２脚体１４をその長手方向に移動させることにより、スパイク付脚１０の長さが調節される。
【００３４】
図６〜図７（ｂ）に示すように、ストッパ１５は、略直方体状のストッパ本体５１、円筒状のスパイクホルダ５２、及び略棒状のスパイク５３等を備えている。ストッパ本体５１は、ゴム等の振動吸収材料により形成されている。ストッパ本体５１の上部には、第２脚体１４の先端が固定される第１縦穴５５が形成されている。第１縦穴５５は、第２脚体１４の断面形状と同じく略Ｃ字状に形成されている。
【００３５】
ストッパ本体５１の下部には、スパイクホルダ５２を収容する第２縦穴５６が形成されている。第２縦穴５６は、スパイクホルダ５２の外形と同じく断面略円形状に形成されている。ストッパ本体５１には、ストッパ本体５１の外側面から第１及び第２縦穴５５，５６のそれぞれに連通する連通孔５７，５８が形成されている。連通孔５７，５８には、円筒状のカラー５７ａ，５８ａがそれぞれ装着されている。第１固定部材としてのボルト５９が、ストッパ本体５１の側方からカラー５７ａを通じて、第２脚体１４のネジ孔４３に螺着されている。これにより、第２脚体１４の先端が、ストッパ本体５１の第１縦穴５５に固定されている。
【００３６】
スパイクホルダ５２は、スパイク５３と第２縦穴５６の壁面との間に介装されている。スパイクホルダ５２は、例えば、金属、セラミックス、合成樹脂等、剛性を有する材料により形成されている。スパイクホルダ５２の全長は、第２縦穴５６の全長よりも若干短く設定されている。スパイクホルダ５２は、中央にスパイク５３を支持する支持孔６０を有している。スパイクホルダ５２の長手方向の中央には、ネジ孔６１が形成されている。第２固定部材としてのボルト６３が、ストッパ本体５１の側方からカラー５８ａを通じてスパイクホルダ５２のネジ孔６１に螺着されている。これにより、スパイクホルダ５２が、ストッパ本体５１の第２縦穴５６に固定されている。
【００３７】
ストッパ本体５１は、第１及び第２連通孔５７，５８と反対側に、ストッパ本体５１の外側面から第２縦穴５６に連通する連通溝６５を有している。スパイクホルダ５２も、ネジ孔６１と反対側に、スパイクホルダ５２の外側面から支持孔６０に連通する連通溝６６を有している。両連通溝６５，６６はいずれも、ストッパ本体５１及びスパイクホルダ５２の長手方向に延びている。スパイクホルダ５２の連通溝６６は、ストッパ本体５１の連通溝６５と対応する幅及び長さを有している。
【００３８】
スパイク５３は、円柱部６８と、床面ＦＬに突き当てられる尖端部６９とを備えている。スパイク５３は、スパイクホルダ５２の支持孔６０に収容されている。また、スパイク５３は、スパイクホルダ５２に対し、スパイク５３の軸線に沿って移動可能に支持されている。スパイク５３は、スパイクホルダ５２に対し移動することで、ストッパ本体５１の第２縦穴５６から出没される。
【００３９】
スパイク５３の長手方向の略中央には、横方向に延びるネジ孔７０が形成されている。ネジ孔７０には、ストッパ本体５１及びスパイクホルダ５２の両連通溝６５，６６を通じて、調節ネジとしてのボルト７１が螺着されている。ボルト７１は、頭部をスパイクホルダ５２の平坦な外周面５２ａに当接させてネジ孔７０に螺着されている。この状態で、ボルト７１の頭部は、スパイク５３の軸線に対し外側に向けて配置されている。
【００４０】
ネジ孔７０に螺着されたボルト７１を締め付けると、スパイク５３がスパイクホルダ５２に固定される。一方、ネジ孔７０に螺着されたボルト７１を緩めると、スパイク５３がスパイクホルダ５２に対し移動可能となる。こうしてボルト７１を操作し、スパイク５３を移動させることにより、スパイクホルダ５２に対するスパイク５３の位置が調節される。スパイクホルダ５２に対するスパイク５３の位置は、スパイク５３の第２縦穴５６からの突出量に対応している。
【００４１】
次に、ストッパ１５の内部構造について図７（ａ）及び図７（ｂ）を参照して説明する。
図７（ａ）及び図７（ｂ）に示すように、第１縦穴５５と第２縦穴５６との間には、ストッパ本体５１の一部が介在している。このため、ストッパ１５に第２脚体１４及びスパイク５３を組み付けた状態で、スパイク５３の基端は、第２脚体１４の先端から離間して配置されている。つまり、スパイク５３の基端と第２脚体１４の先端との間には、振動吸収部材からなるストッパ本体５１の一部が介在している。本実施形態において、スパイク５３と第２脚体１４との間に介在するストッパ本体５１の一部が、バスドラムＢＤからの振動を吸収する振動吸収部材として機能する。つまり、振動吸収部材は、ストッパ本体５１に一体形成されている。
【００４２】
次に、上記のスパイク付脚１０の操作手順について図１を参照して説明する。
図１に示すように、まず、Ｔ型ナット４０を緩めて、スパイク付脚１０を回動させて、収納位置から使用位置へと配置する。その後、Ｔ型ナット４０を締め付けて、スパイク付脚１０を使用位置に固定する。次に、ボルト４５を緩めて、第２脚体１４を第１脚体１３に対し移動させることにより、スパイク付脚１０の長さを調節する。その後、ボルト４５を締め付けて、スパイク付脚１０の長さを固定する。次に、ボルト７１を緩めて、スパイク５３をストッパ本体５１から突出させる。そして、スパイク５３の突出量を調節した後、ボルト７１を締め付ける。バスドラムＢＤのセッティングに際し、上記一連の操作を、左右一対のスパイク付脚１０についてそれぞれ行う。尚、スパイク付脚１０を使用形態から収納形態にする際は、上記一連の操作と逆の操作を行えばよい。
【００４３】
次に、上記のスパイク付脚１０の作用について図７（ａ）及び図７（ｂ）を参照して説明する。
図７（ａ）及び図７（ｂ）に示すように、スパイク５３の基端と第２脚体１４の先端との間には、ストッパ本体５１の一部が介在している。この場合、スパイク５３の基端が第２脚体１４の先端から離間しているため、バスドラムＢＤからの振動が、スパイク５３の基端と第２脚体１４の先端との間で遮断される。また、バスドラムＢＤからの振動は、スパイク５３の基端と第２脚体１４の先端の間に介在されたストッパ本体５１によって吸収される。このため、バスドラムＢＤからの振動がスパイク５３を介して床面ＦＬに伝達されることが抑制される。
【００４４】
従って、本実施形態によれば、以下のような効果を得ることができる。
（１）スパイク５３の基端が第２脚体１４の先端から離間して配置されているため、バスドラムＢＤからの振動を、第２脚体１４の先端とスパイク５３の基端との間で遮断することができる。このため、バスドラムＢＤからの振動がスパイク５３を介して床面ＦＬに伝達されるのを抑制することができる。よって、バスドラムＢＤの振動を最大限に引き出すことができ、バスドラムＢＤ本来の響きを得ることができる。
【００４５】
（２）スパイク５３の基端と第２脚体１４の先端との間には、ストッパ本体５１の一部が介在されている。また、ストッパ本体５１は、ゴム等の振動吸収材料により形成されている。この構成によれば、スパイク５３の基端と第２脚体１４の先端との間に介在されたストッパ本体５１によって、バスドラムＢＤからの振動を吸収することができる。このため、バスドラムＢＤからの振動を、第２脚体１４の先端とスパイク５３の基端との間で確実に遮断することができる。よって、バスドラムＢＤからの振動がスパイク５３を介して床面ＦＬに伝達されるのを確実に抑制することができる。
【００４６】
（３）ストッパ本体５１がゴム等の振動吸収材料からなるため、ストッパ１５の全体で、バスドラムＢＤからの振動を吸収することができる。よって、バスドラムＢＤからの振動がスパイク５３を介して床面ＦＬに伝達されるのをより確実に抑制することができる。
【００４７】
（４）振動吸収部材がストッパ本体５１に一体形成されているため、スパイク付脚１０の部品点数を減らすことができる。よって、スパイク付脚１０の組み付け工数や部品コストを低減することができる。
【００４８】
（５）ボルト５９により、第２脚体１４の先端がストッパ本体５１の第１縦穴５５に固定され、ボルト６３により、スパイクホルダ５２がストッパ本体５１の第２縦穴５６に固定されている。また、スパイク５３と第２縦穴５６の壁面との間には、剛性材料からなるスパイクホルダ５２が介装されている。この構成によれば、ストッパ本体５１に対する第２脚体１４の固定とスパイクホルダ５２の固定とがそれぞれ別のボルト５９，６３により行われる。これにより、ストッパ１５全体の強度が確保されるため、床面ＦＬ上に設置されたバスドラムＢＤの姿勢が安定化する。また、演奏者による踏み込み動作によってストッパ本体５１から第２脚体１４が外れたり、スパイク５３が外れたりすることも抑制できる。
【００４９】
（６）脚部３２の開口端には、略Ｃ字状の開口３７ｃを有するガイドブッシュ３７が装着されている。また、第２脚体１４は、断面略Ｃ字状を有すると共に、ガイドブッシュ３７に挿通されて第１脚体１３内の空間３６に収容されている。また、ストッパ本体５１の上部には、第２脚体１４の先端が固定される第１縦穴５５が形成されている。第１縦穴５５は、第２脚体１４の断面形状と同じく略Ｃ字状に形成されている。この構成によれば、第１脚体１３の先端には第２脚体１４が回転しないように取り付けられ、第２脚体１４の先端にはストッパ１５が回転しないように取り付けられる。また、ボルト７１は、頭部をスパイクホルダ５２の平坦な外周面５２ａに当接させて、スパイク５３のネジ孔７０に螺着されている。この場合、ボルト７１は、その頭部を常にシェル１の外側に向けて配置されている。このため、スパイク付脚１０を収納位置に配置する際に、シェル１の表面にボルトの頭部が接触して傷が付くことを防止できる。また、ボルト７１の頭部が常にシェル１の外側に向けて配置されているため、ボルト７１を回す等の操作を、バスドラムＢＤの外側から行うことができる。よって、スパイク５３の第２縦穴５６からの突出量を容易に調節することができる。
【００５０】
（７）ボルト５９は、カラー５７ａを通じて第２脚体１４のネジ孔４３に螺着されている。同様に、ボルト６３は、カラー５８ａを通じてスパイクホルダ５２のネジ孔６１に螺着されている。また、ストッパ本体５１は、ゴム等の振動吸収材料により形成されている。この構成によれば、連通孔５７，５８のそれぞれにカラー５７ａ，５８ａを装着することで、ボルト５９，６３の締め付けによるストッパ本体５１の潰れを抑制することができる。
【００５１】
なお、本実施形態は、以下のように変更してもよい。
・本実施形態において、スパイク付脚１０を、バスドラムＢＤ以外の楽器や、シンバルスタンドやタムスタンド等の楽器用スタンド等に適用してもよい。
【００５２】
例えば、図８に示すハイハットスタンド８０は、支柱８１と、支柱８１に連結された２本の脚部材８２と、床面ＦＬに当接される３つのストッパ８３と、ペダル装置８４とを備えている。各ストッパ８３は、各脚部材８２の先端に固定されている。ストッパ８３には、床面ＦＬに突き当てられるスパイク８５が設けられている。尚、ストッパ８３の内部構造について、本実施形態のスパイク付脚１０のそれと同じであるため、その詳細な説明を省略する。
【００５３】
図８に示すように、本実施形態に係るスパイク付脚１０を備えたハイハットスタンド８０によっても、図７（ａ）及び図７（ｂ）に示すように、スパイク５３の基端は、脚部材８２の先端から離間して配置されている。このため、ハイハット８７からの振動が支柱８１、脚部材８２及びスパイク５３を介して床面ＦＬに伝達されるのを抑制することができる。よって、ハイハット８７の振動を最大限に引き出すことができ、ハイハット８７本来の響きを得ることができる。
【００５４】
・本実施形態において、スパイク５３の基端と第２脚体１４の先端との離間距離を、ストッパ本体５１の全長に応じた任意の寸法に変更してもよい。
・本実施形態において、スパイク５３の基端と第２脚体１４の先端との間に介在される振動吸収部材として、ストッパ本体５１の一部に代えて、空間を設けたり、別の部材を使用したりしてもよい。前者の場合、ストッパ本体５１における第１縦穴５５と第２縦穴５６との間に、孔や凹部等を形成すればよい。後者の場合、ストッパ本体５１における第１縦穴５５と第２縦穴５６との間に、ストッパ本体５１とは別の部材を配置すればよい。
【００５５】
・本実施形態において、ストッパ本体５１を、ゴム以外の振動吸収材料により形成してもよい。ゴム以外の振動吸収材料として、例えば、硬質ポリウレタン発泡材料等の樹脂、カーボン等のセラミックス、又は木材等が挙げられる。
【００５６】
・本実施形態において、ボルト５９，６３によるネジ固定以外の方法により、ストッパ本体５１に第２脚体１４とスパイクホルダ５２とを固定してもよい。ネジ固定以外の方法として、例えば、接着による固定や、嵌め込みによる固定等が挙げられる。
【００５７】
・本実施形態において、ストッパ１５から、スパイクホルダ５２を省略してもよい。また、ストッパ１５から、ボルト７１を操作してスパイク５３の突出量を調節するための機能を省略してもよい。
【００５８】
・本実施形態において、スパイク付脚１０の脚部材を、第１及び第２脚体１３，１４の２つの脚体により構成したが、１つの脚体のみにより構成してもよい。
【符号の説明】
【００５９】
ＢＤ…バスドラム（楽器）、ＦＬ…床面（設置面）、１０…スパイク付脚、１３…第１脚体（脚部材）、１４…第２脚体（脚部材）、１５…ストッパ、５１…ストッパ本体の一部（振動吸収部材）、５２…スパイクホルダ（ホルダ）、５３…スパイク、５５…第１縦穴、５６…第２縦穴、５９…ボルト（第１固定部材）、６３…ボルト（第２固定部材）、７１…ボルト（調節ネジ）、８０…ハイハットスタンド（楽器用スタンド）、８１…支柱、８２…脚部材、８３…ストッパ、８５…スパイク。
【図１】
2014025979.tif 000003
【図２】
2014025979.tif 000004
【図３】
2014025979.tif 000005
【図４】
2014025979.tif 000006
【図５】
2014025979.tif 000007
【図６】
2014025979.tif 000008
【図７】
2014025979.tif 000009
【図８】
2014025979.tif 000010